(57)【要約】      （修正有）【課題】ゴルフクラブ打撃時のヘッドの遅れ進みに関するシャフト軸方向とヘッド打撃面方向に関するシャフト軸回り方向に関する、簡単な点検器具の提供。【解決手段】スイング時のゴルフクラブに対する空気の流れに着目し、この空気の流れ方向を器具が捕らえ、この方向からゴルフクラブ打撃時姿勢を把握しようとする。そこで、空気の流れ方向を捕らえる紐様のものにつないだ空気抵抗体を備えた構造を特徴とするゴルフクラブ打撃時姿勢点検器具を考案した。この考案の器具をゴルフクラブシャフトのヘッド近くにつけてスイングすると、空気抵抗体は空気抵抗を受けて、紐様のものとともにシャフト移動方向とは逆側に引かれる。そして、打撃時の紐様のもの方向を固定すると、スイング後にその固定した方向から打撃時のシャフト軸方向、シャフト軸回り方向が適正であったかを点検できる。【選択図】図１
0003121637.tif 000002
【実用新案登録請求の範囲】
【請求項１】
空気の流れ方向を捕らえる紐様のものにつないだ空気抵抗体を備えた構造を特徴とするゴルフクラブ打撃時姿勢点検器具
【考案の詳細な説明】
【技術分野】
【０００１】  本考案は、ボール打撃時のゴルフクラブ打撃時姿勢を点検する器具に関するものである。
【背景技術】
【０００２】  ゴルフクラブ打撃時姿勢には、ヘッドの遅れ進みに関するシャフト軸方向とヘッド打撃面方向に関するシャフト軸回り方向に関するものがある。現在、この方向はビデオ撮影や高度な測定装置で点検できるが、簡単な点検器具はない。
【考案の開示】
【考案が解決しようとする課題】
【０００３】  本考案は、ゴルフクラブ打撃時姿勢をシャフトに取り付けた簡単な器具で点検しようとするものである。
【課題を解決するための手段】
【０００４】  課題を解決するため、スイング時のゴルフクラブに対する空気の流れに着目し、この空気の流れ方向を器具が捕らえ、この方向からゴルフクラブ打撃時姿勢を把握しようとする。そこで本考案の空気の流れ方向を捕らえる紐様のものにつないだ空気抵抗体を備えた構造を特徴とするゴルフクラブ打撃時姿勢点検器具を考案した。この考案の器具をゴルフクラブシャフトのヘッド近くにつけてスイングすると、空気抵抗体は空気抵抗を受けて、紐様のものとともにシャフト移動方向とは逆側に引かれる。そして、打撃時に、紐様のもの方向を固定すると、スイング後に、その固定した方向から打撃時のシャフト軸方向、シャフト軸回り方向が適正であったかを点検できる。
【考案の効果】
【０００５】  この考案の器具により、自身で簡単に打撃姿勢を点検して修正できる効果がある。
【考案を実施するための最良の形態】
【０００６】  本考案実施例の器具の主な構造は、空気抵抗を受けた方向に向く部と打撃時にその方向を固定する部からなる。空気抵抗を受けた方向に向く部は、空気抵抗体１を紐様のもの２の一端に繋ぎ、他端を方向指示体４に繋ぐ。紐様のもの２は、方向指示体４側の方向指示体指示部３を固い材質にして、他は柔軟な材質にする。方向指示体４は、本体５の方向指示体挟部９に配置し方向指示体支持軸１４で支持するとともに内部を図３、４、５の破線で示すような形状にして空気抵抗体とともに前後、左右に方向を変えられるようにする。一方、打撃時に空気抵抗体４の方向を固定する部は、慣性体６を本体５の慣性体挟部８の間に配置し、慣性体支持軸１３で支持する。慣性体挟部８及び方向指示体挟部９は、弾性を持たせ、間隔が広がる構造にする。慣性体挟部８は、上部を慣性体６の幅より狭く、下部を広くして、慣性体６の自由端を上げると慣性体挟部８及び方向指示体挟部９の幅が広がり、方向指示体４の固定が解除される。逆に慣性体６の自由端を下げると慣性体挟部ゴム帯７のゴム引張力で方向指示体挟部９の幅が狭まり方向指示体４を挟圧力で固定する。基準方向指示体１５は、方向指示体支持軸１４で支持し、本体５の側面に添って回転させて必要な方向に向くようにする。以上の構造で本体５は、ゴム帯掛け部１２に本体取付ゴム帯１１を掛けてヘッド１９に近いシャフト１０に取り付ける。【０００７】  本考案実施例の器具の機構は次のようになる。本考案実施例の器具はヘッド１９近くのシャフト１０に取り付ける。ゴルフクラブをスイングする前に慣性体６の自由端を上げて、方向指示体４の固定を解除しておく。この状態でスイングすると空気抵抗体１は空気抵抗力１６と遠心力１７の合成力１８の方向に向き、連動する方向指示体４も同方向に向く。ボール２０を打撃時に、本器具は衝撃減速し、その時の慣性力で慣性体６の自由端が下がり、方向指示体４は固定される。スイング後に、固定された方向指示体指示部３の方向を、側面から見て、前もって設定した基準方向指示体１５の方向とのずれ角度がほぼシャフト軸方向角度２３になり、打撃時シャフト方向の適正さを点検でき、上面から見て、シャフト軸方向とのずれがシャフト軸回り方向角度２１になり、打撃時シャフト軸回り方向の適正さを点検できる。なお、基準方向指示体１５の方向は適正な打撃時等で設定しておく必要がある。【０００８】  空気抵抗体１の方向は、空気抵抗体１に働く空気抵抗力１６と遠心力１７の合成した合成力１８の方向になる。ここで空気抵抗体の質量をＭ、空気抵抗体の形状から決まる空気抵抗に関する係数をＰ、スイング時の空気抗体の速度をＶ、空気抵抗体の回転半径Ｒとすると空気抵抗力１６はＰ×Ｖ２、遠心力１７はＭ×Ｖ２÷Ｒになる。空気抵抗力１６と合成力１８のなす角度θはｔａｎθ＝（Ｍ×Ｖ２÷Ｒ）÷（Ｐ×Ｖ２）＝Ｍ÷（Ｒ×Ｐ）の関係になり、角度θは、速度Ｖに関係しないため、スイングの早さに影響を受けないことになる。従って、適正な打撃姿勢での方向指示体指示部３の方向を基準方向指示体１５で設定しておれば、その方向に方向指示体指示部３が向くようにスイングすればよいことになる。
【図面の簡単な説明】
【０００９】
【図１】  本考案実施例の器具をシャフトに取り付けた状態の斜視図を示す。
【図２】  本考案実施例の器具をシャフトに取り付けた状態の略図を示す。
【図３】  本考案実施例の器具で慣性体の自由端を上げた状態の上面図を示す。
【図４】  本考案実施例の器具で慣性体の自由端を上げた状態の正面図を示す。
【図５】  本考案実施例の器具で慣性体の自由端を上げた状態の左側面図を示す。
【符号の説明】
【００１０】  １  空気抵抗体          ２  紐様のもの            ３  方向指示体指示部
４  方向指示体          ５  本体                  ６  慣性体
７  慣性体挟部ゴム帯    ８  慣性体挟部            ９  方向指示体挟部
１０  シャフト          １１  本体取付ゴム帯      １２  ゴム帯掛け部
１３  慣性体支持軸      １４  方向指示体支持軸    １５  基準方向指示体
１６  空気抵抗力        １７  遠心力              １８  合成力
１９  ヘッド            ２０  ボール              ２１  シャフト軸回り方向角度
２２  グリップ          ２３  シャフト軸方向角度
【図１】
0003121637.tif 000003
【図２】
0003121637.tif 000004
【図３】
0003121637.tif 000005
【図４】
0003121637.tif 000006
【図５】
0003121637.tif 000007